(57)【要約】歯を白くするためのキットを提供する。このキットは、過酸化活性物質を含む歯を白くする組成物を含有する包装物と、歯を白くする組成物の適用前には歯及び／又は軟組織を磨かないという指示を含む、軟組織への刺激を最小限に抑えるための前記包装物に関連した指示書とを包含する。
2004527527.tif 000002
【特許請求の範囲】
【請求項１】
過酸化活性物質を含む歯を白くする組成物を含有する包装物と、
前記歯を白くする組成物の適用前には歯を磨かないという指示を含む、軟組織への刺激を最小限に抑えるための、前記包装物に関連した指示書と
を含む、歯を白くするためのキット。
【請求項２】
前記指示書がさらに、前記歯を白くする組成物を歯に適用する約０〜約６０分前には歯を磨くべきでないことを伝える、請求項１に記載のキット。
【請求項３】
前記指示書がさらに、前記歯を白くする組成物を歯に適用する約０〜約３０分前には歯を磨くべきでないことを伝える、請求項１に記載のキット。
【請求項４】
前記指示書がさらに、前記歯を白くする組成物を歯に適用する約０〜約１５分前には歯を磨くべきでないことを伝える、請求項１に記載のキット。
【請求項５】
練り歯磨きをさらに含む、請求項１に記載のキット。
【請求項６】
歯ブラシをさらに含む、請求項５に記載のキット。
【請求項７】
前記指示書がさらに、前記歯を白くする組成物の適用後に前記練り歯磨き及び前記歯ブラシを使用するように伝える、請求項６に記載のキット。
【請求項８】
前記練り歯磨きが約２〜約９のｐＨを有する、請求項５に記載のキット。
【請求項９】
前記練り歯磨きが約３〜約８のｐＨを有する、請求項５に記載のキット。
【請求項１０】
前記歯を白くする組成物のためのアプリケータをさらに含む、請求項１に記載のキット。
【請求項１１】
前記アプリケータがストリップ状材料である、請求項１０に記載のキット。
【請求項１２】
前記アプリケータがトレイである、請求項１０に記載のキット。
【請求項１３】
前記アプリケータが軟組織と重なり合うようにサイズ設定されている、請求項１０に記載のキット。
【請求項１４】
複数の前記アプリケータをさらに含む、請求項１０に記載のキット。
【請求項１５】
前記指示書がさらに、前記歯を白くする組成物を使用している時には歯を磨くのを１日当り２回以下にすべきことを伝える、請求項１に記載のキット。
【請求項１６】
前記指示書が前記包装物上に印刷されている、請求項１に記載のキット。
【請求項１７】
過酸化活性物質を含む歯を白くする組成物を含有する包装物と、
前記歯を白くする組成物を歯に適用する直前には歯を磨かないという指示を含む、軟組織への刺激を最小限に抑えるための、前記包装物に関連した指示書と
を含む、歯を白くするためのキット。
【請求項１８】
約２〜約９のｐＨを有する練り歯磨きをさらに含む、請求項１７に記載のキット。
【請求項１９】
前記練り歯磨きが約３〜約８のｐＨを有する、請求項１７に記載のキット。
【請求項２０】
前記歯を白くする組成物のためのアプリケータをさらに含む、請求項１７に記載のキット。
【発明の詳細な説明】
【技術分野】
【０００１】
本発明は、歯を白くするためのキットに関し、より詳細には、歯を白くする組成物中の過酸化活性物質によって引き起こされる軟組織への刺激を最小限に抑えるための指示書を有するキットに関する。
【背景技術】
【０００２】
歯を白くすることは、過去数年にわたって大変人気を呼んでいる。消費者はますます彼らの歯を白くすることを選択している。歯を白くするための選択肢には、練り歯磨き、口内洗浄剤、チューインガム、医院内での漂白、及び最も一般的には、店頭販売又は歯科医のいずれかから入手されるトレイと共に用いられる、歯を白くする溶液が挙げられる。歯を白くする溶液は、過酸化水素のような、歯を漂白する活性成分を含有する。
【０００３】
過酸化水素は、通常白くするために使用される濃度範囲（０〜１５％の過酸化水素）では組織に損傷を与えない。これは、過酸化物が他のいかなる物質とも顕著に反応し得る前に過酸化物を急速に酸素と水に変化させる酵素（ペルオキシダーゼ、アマラーゼ（amalase）、及びカタラーゼ）を唾液が含有しているからである。これらの酵素は軟組織の表面上にも存在するが、歯磨きをすると酵素を洗い流してしまうことがあり、軟組織が過酸化物に起因する刺激を受けやすくし、結果としてユーザーに灼熱感が生じる。さらに、歯磨きをすると軟組織に擦過傷が生じることもある。これらの擦過傷に過酸化水素を適用すると、口の開いた傷に過酸化物を注入するのと同様の灼熱感が生まれる。１日の間に繰り返し歯を磨くと、擦過傷が治癒する十分な時間がないので、時間が経つにつれて擦過傷がひどくなることがある。
【発明の開示】
【発明が解決しようとする課題】
【０００４】
歯を白くする分野における近年の発展では、米国特許第６，１３６，２９７号に記載のように、歯を白くする組成物の一部を軟組織に適用することになる、歯を白くするシステムの導入が見られる。したがって、白くするプロセスの一部として過酸化活性物質を軟組織に適用する場合には特に、歯を白くする組成物の適用前には歯を磨かないことが望ましいことを伝える指示書を有する、歯を白くするキットを提供することが引き続き望まれている。それに加えて、歯を白くする組成物の適用前に歯を磨くことが望ましい場合、この歯磨きに関連したパラメータを伝える指示書を提供することが必要とされている。
【０００５】
歯を白くする組成物の適用前に歯を磨く場合、練り歯磨きのｐＨが重要になることがある。例えば、歯を白くする組成物を歯に適用する時に、練り歯磨きのｐＨがその後のラジカルの形成に影響を及ぼすことがある。ｐＨが高いとラジカルの形成を促進させることがあり、結果として白くするプロセス中に歯肉への刺激を増大させることになる。したがって、歯を白くする組成物の適用前に歯を磨くことが望ましい場合、適切な練り歯磨きを包含する歯を白くするキットを提供することもまた望まれている。
【課題を解決するための手段】
【０００６】
歯を白くするためのキットを提供する。このキットは、過酸化活性物質を含む歯を白くする組成物を含有する包装物と、歯を白くする組成物の適用前には歯及び／又は軟組織を磨かないという指示を含む、軟組織への刺激（soft tissue irritation）を最小限に抑えるための前記包装物に関連した指示書とを包含する。キットには、歯を白くする組成物を歯に適用する約０〜約６０分前には歯及び／又は軟組織を磨くべきでないことを伝える指示書をさらに包含することができる。キットは、歯を白くする組成物の適用後に歯を磨くための練り歯磨き及び歯ブラシを任意選択的に含有してもよい。
【発明を実施するための最良の形態】
【０００７】
本明細書は、本発明を特に指摘し明確に請求する請求項をもって結論とするが、本発明は、添付の図面に即した以下の説明から一層理解されるものと考えられる。
【０００８】
ここで、本発明の好ましい実施形態を詳細に参照し、それらの実施例を添付図面に示し、図面では、類似の番号は図全体を通して同一の要素を指す。ここで、図１、図２、及び図３を参照し、本発明の一態様に従って、本発明に従って作製されたキット２０の実施形態について説明する。キット２０は、歯を白くするシステム２２を格納する包装物２１、キット２０に関連した指示書２５、並びに任意選択的に歯ブラシ２４及び練り歯磨き２６を含む。歯を白くするシステム２２には、過酸化活性物質を含有する歯を白くする組成物２８と、歯を白くする組成物を歯及び／又は軟組織に適用する及び／又は適用を維持するアプリケータとを包含することができる。代表的な歯を白くするシステム２２が図２及び図３に示されており、これは、ストリップ状材料３０、歯を白くする組成物の薄層２８、及び任意選択的に、ストリップ状材料を使用して歯に適用される歯を白くする組成物の表面３１を被覆する、ストリップ状材料３０の反対側に配置された剥離ライナー３２を含む。キット２０は、歯を白くする組成物を多数適用するための、複数の歯を白くするシステム２２を含むことができる。
【０００９】
歯を白くする組成物２２は、アプリケータに事前適用されていても、又はユーザーがアプリケータに適用してもよく、あるいはユーザーが歯及び軟組織に適用し、その後アプリケータによって被覆してもよい。過酸化活性物質を含有する代表的な歯を白くする組成物は、米国特許第６，１３６，２９７号、５，３７６，００６号、５，９８５，２４９号、５，９２２，３０７号、ＲＥ３４，１９６、及びＰＣＴ国際公開特許ＷＯ９９／６２４７２に開示されており、これらの内容を参考として組み入れる。本発明と併せて用いるのに好適な過酸化活性物質には、過酸化水素、過酸化カルシウム、過酸化カルバミド、及びこれらの混合物が挙げられる。最も好ましいのは過酸化水素である。その他の過酸化活性物質には、過炭酸塩類、特に過炭酸ナトリウムのような、水と混合した時に過酸化水素を発生する組成物が挙げられる。過酸化活性物質はいかなる濃度で存在することもできるが、歯を白くする用途では、過酸化活性物質が歯を白くする組成物の約０．０１重量％〜約４０重量％の濃度で存在することが好ましい。過酸化活性物質は、歯を白くする組成物の約０．１重量％〜約２０重量％、好ましくは約０．５重量％〜約１５重量％、より好ましくは約１重量％〜約１０重量％、最も好ましくは約２重量％〜約１０重量％に相当する過酸化水素の濃度を提供すべきである。これらの濃度は過酸化水素について表されるものであり、過酸化カルバミド、過酸化カルシウムなどのようなその他の過酸化物を遊離させる分子については、適当な変換を行わなければならないことが理解される。
【００１０】
歯を白くする組成物の追加的な構成要素には、水、ゲル化剤、保湿剤、ｐＨ調整剤、安定化剤、減感剤、並びに反応促進剤又は漂白活性化剤を挙げることができるが、これに限定されない。前述の材料に加え、他の多数の材料も歯を白くする組成物に加えることができる。追加的な材料には、着香剤、サッカリン、キシリトールのような甘味剤、乳白剤、着色剤、及びエチレンジアミン四酢酸のようなキレート剤が挙げられるが、これに限定されない。
【００１１】
好適なゲル化剤は、歯を白くする組成物の構成要素と反応せず、又はそれらを不活性化しない。本発明において有用な一部のゲル化剤には、Ｂ．Ｆ．グッドリッチ社（B.F.Goodrich Company）製の「ペムレン（Pemulen）」、カルボキシポリメチレン、カルボキシメチルセルロース、カルボキシプロピルセルロース、ヒドロキシエチルセルロース、ポロキサマー、ラポナイト、カラゲナン、ビーガム、カルボキシビニルポリマー類、及び天然ゴム類、例えばカラヤゴム、キサンタンガム、グアーガム、アラビアゴム、トラガカントゴム、並びにこれらの混合物が挙げられる。本発明において使用するのに好ましいゲル化剤は、Ｂ．Ｆ．グッドリッチ社（B.F.Goodrich Company）から商標名カーボポール（CARBOPOL）（登録商標）として入手されるカルボキシポリメチレンである。特に好ましいカーボポール（CARBOPOL）類には、カーボポール（登録商標）９３４、９４０、９４１、９５６、９７１、９７４、９８０、及びこれらの混合物が挙げられる。特に好ましいのは、カーボポール（CARBOPOL）（登録商標）９５６である。カルボキシポリメチレンは、活性のあるカルボキシル基をもつ弱酸性のビニルポリマーである。ゲル化剤の量は、歯を白くする組成物の約０．１重量％〜約１５重量％、好ましくは約１重量％〜約１０重量％、より好ましくは約２重量％〜約８重量％、最も好ましくは約３重量％〜約６重量％であることができる。ポロキサマーゲル化剤の有効濃度は、歯を白くする組成物の約１０重量％〜約４０重量％、好ましくは約２０重量％〜約３５重量％、より好ましくは約２５重量％〜約３０重量％である。
【００１２】
他の好適なゲル化剤には、限られた溶解性を有するポリマー類、及び水への溶解性に欠けるポリマー類の両方が挙げられる。限られた溶解性を有する好適な接着剤には、ヒドロキシルエチル又はプロピルセルロースが挙げられる。水への溶解性に欠ける接着剤には、エチルセルロース及びポリオックス樹脂が挙げられる。本組成物において使用するのに好適な、他の考えられる接着剤は、分子量約５０，０００〜約３００，０００のポリビニルピロリドンである。本組成物において使用するのに好適な、さらに他の考えられる接着剤は、ガントレッツ（Gantrez）と半合成の水溶性ポリマーであるカルボキシメチルセルロースとの組み合わせである。
【００１３】
歯を白くする組成物を口腔組織に安全なものにするために、ｐＨ調整剤も加えてよい。これらのｐＨ調整剤又は緩衝剤は、歯を白くする組成物のｐＨを調整するのに好適ないかなる材料であることもできる。好適な材料には、重炭酸ナトリウム、リン酸ナトリウム、水酸化ナトリウム、水酸化アンモニウム、水酸化カリウム、スズ酸ナトリウム、トリエタノールアミン、クエン酸、塩酸、クエン酸ナトリウム、及びこれらの組み合わせが挙げられる。ｐＨ調整剤は、歯を白くする組成物のｐＨを約３〜約１０、好ましくは約４〜約８．５、より好ましくは約４．５〜約８に調整するような十分な濃度で加えられる。ｐＨ調整剤は、一般に歯を白くする組成物の約０．０１重量％〜約１５重量％、好ましくは約０．０５重量％〜約５重量％の濃度で存在する。
【００１４】
好適な安定化剤には、安息香酸、サリチル酸、ブチル化ヒドロキシトルエン、スズ塩類、リン酸塩類、及びその他のものが挙げられる。好適な漂白活性化剤には、トリクロロイソシアヌル酸、及びリン酸塩類、例えばピロリン酸四ナトリウムが挙げられる。
【００１５】
減感剤も、歯を白くする組成物において使用してよい。これらの薬剤は、過敏性のある歯を有する消費者に好ましいことがある。減感剤には、硝酸カリウム、クエン酸、クエン酸塩類、塩化ストロンチウム、及びこれらの組み合わせが挙げられる。硝酸カリウムが、好ましい減感剤である。歯の過敏性を軽減させる利益を提供するその他の薬剤も、本発明に包含される。通常、減感剤の濃度は、歯を白くする組成物の約０．０１重量％〜約１０重量％、好ましくは約０．１重量％〜約８重量％、より好ましくは約１重量％〜約７重量％である。
【００１６】
歯を白くする組成物は、様々なアプリケータを用いて歯に適用することができる。例えば、歯を白くする組成物は、トレイ、スティント（stint）、又は同様の用具、例えば米国特許第５，３７６，００６号及びＲＥ３４，１９６に記載のものを用いて適用することができる。さらに他の実施形態では、歯を白くする組成物は、ブラシ、ペン・アプリケータ、ドーズ・フット（doe's foot）アプリケータ若しくは指、綿棒、又はデンタル・スティックなどによって適用することができる。
【００１７】
特に好ましいアプリケータは、米国特許第５，８９１，４５３号、６，１３６，２９７号、５，８７９，６９１号、及び５，９８９，５６９号に記載のようなストリップ状材料の形態で提供される。なお、これらの特許の内容を参考として本明細書に組み入れる。ストリップ状材料は、歯を白くする組成物を歯に適用し、歯を白くする組成物のための保護バリヤーの働きをするように使用される。それは、例えば着用者の唇、舌、及び唾液により、歯を白くする組成物が大幅に浸出及び／又は浸食されるのを防ぐ。これにより、歯を白くする組成物の過酸化活性物質が、歯に対して長期間作用できるようになる。
【００１８】
図２〜図６を参照すると、歯を白くするシステム２２と共に使用するのに好適な代表的なストリップが示されている。ストリップ状材料は図２に示すほぼ長方形の形状で提供することができるが、図４に示すようにストリップ状材料３０をほぼ台形の形状で提供することもできることが予測される。ストリップ状材料１３０は、第１側部１３４及び第２側部１３６、第３側部１３８、並びに第４側部１４０を有する。第１側部１３４及び第２側部１３６は、第４側部１４０から第３側部１３８まで傾斜した直線的な側部である。第３側部１３８は凹形で、第４側部１４０よりも短い。第４側部１４０は凸形である。第４側部１４０は、ユーザーの一連の下前歯の前面の底縁部に近接して付けられる。あるいは、ストリップがユーザーの一連の上歯に着用される場合、第４側部１４０を、ユーザーの一連の上前歯の前面の最上部に沿って付けてもよい。ストリップ状材料１３０の折り目１４２は、第１側部１３４から第２側部１３６まで延びている。折り目１４２は、第３側部１３８又は第４側部１４０により近くに位置してもよい。ストリップ状材料１３０を折り目１４２に沿って折った後、第３側部１３８がユーザーの歯の裏側に沿う。図５を参照すると、階段状の側部を備えたほぼ台形の形状の代替的なストリップ状材料２３０が示されている。折り目２４２は、第１側部２３４及び第２側部２３６にある階段状の段の角２４４及び２４６からそれぞれ延びている。あるいは、ストリップ状材料２３０を、互いの上に重なり合って設置された２つのほぼ台形の形状として記述することができる。図６を参照すると、階段状の側部を有する他の代替的なストリップ状材料３３０が示されている。ストリップ状材料３３０はまた、互いの上に重なり合って設置された２つの長方形として記述することもできる。理解されるように、ストリップ状材料には他の形状を提供することもできる。
【００１９】
ストリップ状材料は、歯、歯の間隙空間、及び軟組織の外形表面に適合可能にすべきである。曲げ剛性が比較的低ければ、ほとんど力を加えずにストリップ状材料を歯及び軟組織の外形表面にかぶせて覆うことができる。すなわち、ストリップ状材料をそのほぼ平坦な形状へと戻す、ストリップ状材料内の残留力がほとんどないので、着用者の口の曲率及び隣接する歯の間の隙間との適合性が維持される。ストリップの可撓性により、身体的刺激なしにストリップ状材料を長時間にわたって隣接する軟組織に接触させることが可能になる。
【００２０】
曲げ剛性は、ストリップの厚さ、幅、及び材料の弾性率の組み合わせの関数である材料特性である。この試験は、ポリオレフィンのフィルム及びシートの剛性を測定する方法である。それは、水平梁の末端に固定されたひずみゲージを用いて、試料の曲げに対する抵抗力を測定する。梁の反対側の末端が、ストリップ状試料全体を押して、ストリップの一部を試料が置かれている水平台の垂直な溝の中に押し入れる。ひずみゲージにワイヤー接続されたマイクロアンメータは、曲げたわみ力のグラムで較正される。試料の剛性はマイクロアンメータから直接読み取られ、試料ストリップの幅１センチメートル当りのグラムとして表される。本発明では、ストリップ状材料は、試験方法ＡＳＴＭ  Ｄ２９２３−９５により、ペンシルベニア州フィラデルフィアのスウィング−アルバート・インスツルメント社（Thwing-Albert Instrument Co.）から入手可能なハンドル−オー−メーター（Handle-O-Meter）、モデル＃２１１−３００で測定した時に、約５グラム／ｃｍ未満の曲げ剛性を有する。好ましくは、ストリップ状材料は、約４グラム／ｃｍ未満、より好ましくは約３グラム／ｃｍ未満、最も好ましくは約０．１グラム／ｃｍ〜約１グラム／ｃｍの曲げ剛性を有する。好ましくは、ストリップ状材料の曲げ剛性がほぼ一定であり、通常使用時に大幅に変化しない。例えば、ストリップが前述で指定した範囲内の低い曲げ剛性を達成するために、ストリップ状材料を水和する必要はない。ストリップ状材料は、当該技術分野において既知のいくつかのフィルム製造法のいずれかによって形成してよい。好ましくは、ポリエチレン製のストリップ状材料は吹込み法又は注型法によって製造される。押出成形及び他の方法のような方法も好適な可能性がある。
【００２１】
図７及び図８を参照すると、歯を白くする組成物が歯及び軟組織の両方に適用されるように、ストリップ状材料は、好ましくは、白くすべき歯の一部分及びこれらの歯に隣接する軟組織の一部分を被覆するようなサイズ及び構成にされている。ストリップ状材料は、歯及び／又は軟組織への接着性付着によって隣接する複数の歯の上の適切な場所に保持されており、この接着性は本明細書に記載の１以上の歯を白くする組成物によって提供することができる。軟組織は、本明細書では歯牙構造を取り囲む軟組織として定義され、これには、歯乳頭、辺縁歯肉、歯肉溝、歯肉間、並びに歯肉歯槽粘膜接合部及びパレット（pallet）までの、及びこれを含む、舌側及び頬側表面上の歯肉歯茎構造が含まれる。歯を白くする組成物の粘性及び全般的接着性が、話すこと、飲むことなどに随伴した口の運動時に、唇、舌、及びストリップ状材料に対して擦られる他の軟組織から可能性のある摩擦を受けて大幅に滑らせずに、ストリップ状材料を隣接する複数の歯及び／又は軟組織に接着性付着させる。ただし、歯及び／又は軟組織へのこの接着は、着用者がその指又は指の爪を用いてストリップ状材料を剥ぐことによりストリップ状材料を容易に取り除くことができる、十分に弱いものである。
【００２２】
代替的な一実施形態では、ストリップは、図８に示すように、１つ以上の歯５２の全ての歯の前側表面５０、前側表面５０に隣接する軟組織５４の一部分、及び歯の後側表面５６の一部分を被覆するようなサイズ及び構成にされる。一般に、ストリップ状材料の長さは、約２ｃｍ〜約１２ｃｍ、好ましくは約３ｃｍ〜約９ｃｍ、より好ましくは約４ｃｍ〜約８ｃｍである。ストリップが側部で階段状であるか又は台形状をしている場合、ストリップの長い方の側部は、一般に約２ｃｍ〜約１２ｃｍ、好ましくは約３．１〜約１０ｃｍ、より好ましくは約３．５ｃｍ〜約８ｃｍ、最も好ましくは約４ｃｍ〜約６ｃｍである。短い方の側部は、約０．１ｃｍ〜約１２ｃｍ、好ましくは約０．５ｃｍ〜約８ｃｍ、より好ましくは約１ｃｍ〜約５ｃｍ、最も好ましくは約１．５ｃｍ〜約３ｃｍである。またストリップの幅は、ストリップ状材料が完全に歯の周りを包み、歯の前側及び後側表面の一部又は全てを被覆するかどうかを包含する、多くの要因によっても決まる。一般的な用途では、ストリップの幅は、約０．５ｃｍ〜約４ｃｍ、好ましくは約１ｃｍ〜約２ｃｍである。
【００２３】
任意選択の剥離ライナー３２は、歯を白くする組成物に対する親和性が、歯を白くする組成物がそれ自体及びストリップ状材料に対して示す親和性よりも低い、いかなる材料から形成してもよい。剥離ライナーは、好ましくは、ポリエチレン、紙、ポリエステル、又は後で非粘着型材料でコーティングされる他の材料のような、材料の剛性シートを含む。剥離ライナー材料は、ワックス、シリコーン、テフロン（Teflon）（登録商標）のようなポリエステル、フルオロポリマー類、又は他の非粘着型材料でコーティングしてよい。好ましい剥離ライナーは、ミネソタ州ミネアポリスのミネソタ・マイニング・アンド・マニュファクチャリング社（Minnesota Mining and Manufacturing Company）製のスコッチパック（SCOTCHPAK）（登録商標）である。剥離ライナーは、ストリップ状材料とほぼ同じサイズ及び形状に切断してもよく、又は剥離ライナーをストリップ状材料より大きく切断して、ストリップ状材料から剥離ライナーを引き離すための容易に利用できる手段を提供してもよい。
【００２４】
使用方法の１つでは、歯を白くするシステム２２から剥離ライナー３２を取り除き、それによって歯を白くする組成物２８の薄層の表面３１を露出させる。次いでストリップ状材料３０を使用して、露出された歯を白くする組成物２８を歯に適用する。折り目をユーザーの歯の先端にかぶせて付けると、ストリップ状材料３０を、ユーザーの歯５２の前側表面５０、及び前側表面５０に隣接する軟組織の一部分、並びにユーザーの歯の後側表面５６上に折り下げることができるようになる。階段状ストリップの場合、ストリップ状材料は、ユーザーの２本の犬歯がストリップの角のちょうど外側にくるように付けられる。図８に見られるように、第４側部は、ユーザーの一連の下前歯の前面の底縁部に近接して位置する。あるいは、ストリップ状材料がユーザーの一連の上歯に着用される場合、第４側部を、ユーザーの一連の上前歯の前面の最上部に沿って付けてもよい。第３側部は、ユーザーの歯の裏側に沿う。
【００２５】
キット２０は、任意選択的に練り歯磨きのような口腔用組成物を包含してもよい。様々な口腔用組成物が本発明のキットと共に使用するのに好適であるが、いくつかの例が、米国特許第４，２５４，１０１号、４，３１４，９９０号、４，８４２，１６５号、４，５１５，７７２号、５，００４，５９７号、５，８８５，５５６号、５，８２０，８５２号、５，８４９，２６９号、５，４５１，４０４号、５，８２０，８５４号、及び５，９３９，０５２号に記載されており、これらの内容を参考として本明細書に組み込む。キット２０はまた、口腔用組成物と共に使用するための歯ブラシを任意選択的に包含してもよい。様々な歯ブラシが好適であるが、いくつかの例が、米国特許第６，１７８，５８３号、６，１１５，８７０号、５，９２６，８９７号、５，８３９，１４８号、５，５１１，２７５号、及び５，１６５，７６１号に記載されており、これらの内容を参考として本明細書に組み込む。好ましくは、口腔用組成物のｐＨは約２〜約９、より好ましくは約３〜約８である。これらの範囲内のｐＨは、白くするプロセス時のＯＯＨ-ラジカルの形成を最小限に抑えることができ、これによって歯肉への刺激が軽減される。
【００２６】
本発明の一態様によれば、文書、画像、又はこれらの組み合わせの形態をした一連の指示書２５が、キット２０に関連して提供される。本明細書で使用する時、「関連して」という表現は、一連の指示が消費者に伝わるように、キットの包装、キットの構成要素（例えば、歯を白くするシステムの容器、練り歯磨きの容器など）の上に直接印刷されるか、又はパンフレット、印刷広告、電子広告、及び／又は言葉による伝達を含むがこれに限定されない別個の方法で提示されることを意味する。指示書は、歯を白くする組成物の適用前には歯及び／又は軟組織を磨かないという指示を伝える。代替的な一実施形態では、指示書はさらに、歯を白くする組成物を適用する直前には歯及び／又は軟組織を磨くべきでないことを伝える。さらに他の代替的な実施形態では、指示書はさらに、歯を白くする組成物を歯に適用する約０〜約６０分前には歯及び／又は軟組織を磨くべきでないことを伝える。より好ましくは、指示書は、歯を白くする組成物を歯に適用する約０〜約３０分前には歯及び／又は軟組織を磨くべきでないことを伝える。最も好ましくは、指示書は、歯を白くする組成物を歯に適用する約０〜約１５分前には歯を磨くべきでないことを伝える。擦過傷の累積を最小限に抑えるために、指示書は、歯を白くする組成物を使用している時には１日に１回を超えて歯を磨くべきでないことを伝えることができる。代替的な一実施形態では、指示書は、歯を白くする組成物を使用している時には歯を磨くのを１日当り２回以下にすべきことを伝えることができる。
【００２７】
本発明の特定の実施形態を図示し記載してきたが、本発明の精神及び範囲から逸脱することなく様々な変更及び修正をし得ることが当業者には自明であり、本発明の範囲内にあるすべての修正が添付の請求項に含まれることが意図されている。
【図面の簡単な説明】
【００２８】
【図１】本発明に従って作製されたキットの斜視図である。
【図２】図１のキットと共に使用するのに好適な、歯を白くするシステムの斜視図である。
【図３】図２の歯を白くするシステムの線２−２に沿った断面側面図である。
【図４】図２の歯を白くするシステムと共に使用するのに好適な他の好ましいストリップの平面図である。
【図５】図２の歯を白くするシステムと共に使用するのに好適なさらに他の好ましいストリップの平面図である。
【図６】図２の歯を白くするシステムと共に使用するのに好適なさらに他の好ましいストリップの平面図である。
【図７】上顎の歯に適用された図２の歯を白くするシステムの概略平面図である。
【図８】図７の上顎の歯の線８−８に沿った断面側面図である。
【国際公開パンフレット】
2004527527.tif 000003
2004527527.tif 000004
2004527527.tif 000005
2004527527.tif 000006
2004527527.tif 000007
2004527527.tif 000008
2004527527.tif 000009
2004527527.tif 000010
2004527527.tif 000011
2004527527.tif 000012
2004527527.tif 000013
2004527527.tif 000014
2004527527.tif 000015
2004527527.tif 000016
2004527527.tif 000017
2004527527.tif 000018
2004527527.tif 000019
2004527527.tif 000020
2004527527.tif 000021
2004527527.tif 000022
【国際調査報告】
2004527527.tif 000023
2004527527.tif 000024
2004527527.tif 000025
2004527527.tif 000026